(57)【要約】【課題】個別スケール体としても各種態様で用い得る三角スケールの提供。【解決手段】三本の個別スケール体Ａａを備えてなる三角スケールＡであって、個別スケール体Ａａが、外周面に長方形状の三つの面を備える仮想の三角スケールＹにおける各面Ｙ’の幅側のほぼ中央を通る面Ｙ’の長手にわたる線分Ｙａと仮想の三角スケールＹの中心を通る線分Ｙｂとの間にわたって備えられる各分離面Ｙｅ、Ｙｅで仮想の三角スケールＹを分離した形状の角棒状に構成してあり、かつ、仮想の三角スケールＹの稜Ｙｃを稜３２とするように稜３２を挟む一対の長方形状の表示面３０ａと、仮想の三角スケールＹにおける各分離面Ｙｅである長方形状の接合面３０ｂと、表示面３０ａの長手に備えられる所定の縮尺目盛３４とを備えており、隣り合わされる個別スケール体Ａａが、互いの表示面３０ａを連続させるように接合面３０ｂで接し合わされて離脱可能に接続し得る。【選択図】図１
2010038576.tif 000002
【特許請求の範囲】
【請求項１】
三本の個別スケール体を備えてなる三角スケールであって、
前記個別スケール体が、外周面に長方形状の三つの面を備える仮想の三角スケールにおける前記各面の幅側のほぼ中央を通る当該面の長手にわたる線分と当該仮想の三角スケールの中心を通る線分との間にわたって備えられる各分離面で当該仮想の三角スケールを分離した形状の角棒状に構成してあり、
この個別スケール体が、前記仮想の三角スケールの稜を稜とするように当該稜を挟む一対の長方形状の表示面と、前記仮想の三角スケールにおける各分離面である長方形状の接合面と、前記表示面の長手に備えられる所定の縮尺目盛とを備えており、
隣り合わされる個別スケール体が、互いの表示面を連続させるように前記接合面で接し合わされて、適宜の接続手段で離脱可能に接続し得るようにしてあることを特徴とする三角スケール。
【請求項２】
前記個別スケール体の側端部に筆記手段が突設してあることを特徴とする請求項１に記載の三角スケール。
【請求項３】
長さ以外を、前記個別スケール体の接続されてなる前記三角スケールと同形、同寸とした短寸法の部分スケール体を、前記筆記手段を受け入れ得るように、前記個別スケール体の接続されてなる三角スケールにおける筆記手段の突設端面に離脱可能に接続し得るようにしてあることを特徴とする請求項２に記載の三角スケール。
【発明の詳細な説明】
【技術分野】
【０００１】
この発明は、縮尺図面の作成や、縮尺図面の読み取り等に用いられる三角スケールの改良、就中、三角スケールとしての活用と同時に、携行に至便かつ用いやすい簡易縮尺スケールに随意に分割変更して用いることのできる三角スケールの提案に関する。
【背景技術】
【０００２】
三角スケールは、各種の縮尺図面の作成時や、縮尺図面を読み取る際に必要とされるものであって、各種の用途に応じて、各種の縮尺目盛を備えたものが用意されている。
【０００３】
多くの場合、百分の一、二百分の一、三百分の一、四百分の一、五百分の一、六百分の一等の縮尺目盛を各面に備えたものが汎用されている。
【０００４】
かかる三角スケールは、それぞれの縮尺比率の目盛を備える三角スケールを、当該縮尺図面の作成や、縮尺図面の読み取りの手段としても用いるものであって、この三角スケールによって、実寸法の割り出しをして、縮尺図面の作成や縮尺図面の読み込みをなすようにしてあり、建築物の設計モジュールを基準にして縮尺目盛を設けるようにすることもできる。
【０００５】
かかる三角スケールは、「サンスケ」と称される３０ｃｍ長のものや、「コサンスケ」と称される１５ｃｍ長の、断面形状をほぼ三角形としてものが一般的に用いられている。
【０００６】
かかる三角スケールでは、当該三角スケールを構成する各面に備えられている各縮尺目盛を用いるために、縮尺比率の異なる図面の作成や読み取り等に都合良く用い得る各種の三角スケールを別段に用意する必要があった。
【０００７】
また、一般に、三角スケールは縮尺図面の作成や、縮尺図面の読み取りに用いる点で、当該三角スケールとは別段に筆記手段を用意する必要があった。
【０００８】
かかる点から、一本の三角スケールを用いて複数種の縮尺図面の作成や読み取りに用い得るようにした三角スケールとして、断面菱形の棒状に形成され、その４面の各面に異なるスケールを夫々表示して構成した３組のスケール体と、前記３組のスケール体が正三角の頂点上に夫々位置するよう、前記スケール体を保持する保持体とを備え、前記保持体は前記スケール体をその長手方向でスライド可能でかつスケール体の表示面を反転可能に保持する嵌合部を備えるようにした三角スケールが開示されている（例えば、特許文献１）。
【０００９】
また、筆記具とスケールを一つに結合して一体構造のまま、スケールをペンホルダーのように使用することも、また別々に使用することができるように使用並びに取扱い上至便にするために、断面多角形状の中空棒状体をスケール本体にして、その側辺部に目盛を設け、中空孔に筆記具を抜き差し可能に嵌挿して、スケール本体と筆記具とを一体に結合した筆記具付きスケールが開示されている（例えば、特許文献２）。
【特許文献１】平成６年実用新案出願公開第６５８０２号
【特許文献２】平成５年実用新案出願公開第６３８９０号
【発明の開示】
【発明が解決しようとする課題】
【００１０】
しかしながら、特許文献１に示される三角スケールにあっては、各スケール体を保持体によって、その長手方向でスライド可能でかつスケール体の表示面を反転可能に保持する必要があり、構成される三角スケールにおける保持体の占める割合が大きく、三角スケールとしての使用面及び製作コスト面に難があった。
【００１１】
特に、各種の縮尺図面の作成の際や、各種縮尺図面に基づいた設計打ち合わせ、現地確認等で、当該設計図面から実寸法での仕上がり状態を確認させる際等において、当該三角スケールは大き過ぎて、細かい部分の縮尺見取りや、納まり具合の詳細な確認等に難があった。
【００１２】
また、特許文献２に示される筆記具付きスケールでは、スケールに沿って測定線等を書き込むために別段に筆記具かスケールを必要とする不具合と共に、汎用されている三角スケールとして用い難い不具合があった。
【００１３】
かかる点から、既存の三角スケールと同様に用い得ると同時に、必要に応じて、必要とされる縮尺目盛を備える個別スケール体のみを分離して、縮尺図面上の微細な間隔や立ち上がり等を容易かつ確実に実寸法に照らしあわせ得る三角スケールが要請されていた。
【課題を解決するための手段】
【００１４】
かかる課題を解決するために、この発明は、三本の個別スケール体を備えてなる三角スケールであって、
前記個別スケール体が、外周面に長方形状の三つの面を備える仮想の三角スケールにおける前記各面の幅側のほぼ中央を通る当該面の長手にわたる線分と当該仮想の三角スケールの中心を通る線分との間にわたって備えられる各分離面で当該仮想の三角スケールを分離した形状の角棒状に構成してあり、
この個別スケール体が、前記仮想の三角スケールの稜を稜とするように当該稜を挟む一対の長方形状の表示面と、前記仮想の三角スケールにおける各分離面である長方形状の接合面と、前記表示面の長手に備えられる所定の縮尺目盛とを備えており、
隣り合わされる個別スケール体が、互いの表示面を連続させるように前記接合面で接し合わされて、適宜の接続手段で離脱可能に接続し得るようにしてあることを特徴とする三角スケールとしてある。
【００１５】
このような構成からなる三角スケールは、所謂、三角スケールとして効果的に用い得るとともに、必要に応じて、縮尺図面の作成や読み取りに必要とされる縮尺比率の目盛を備えている一本の個別スケール体として、又は、必要に応じて二本の個別スケール体の接続体とすることで、作成や読み取りの要請されている図面を簡易にかつ確実に作成でき、また、簡易に、かつ、確実に実寸法を読み取ることができる。
【００１６】
また、かかる個別スケール体は、細く、軽量であることから、指先による自在な操作に適し、当該個別スケール体を全方向に向けて自在に位置づけ得ることから、縮尺図面をもとにして、容易に、全方向に向けた実寸法の確認をなすことができる。
【００１７】
また、かかる個別スケール体は、細身に構成されていることから、胸ポケットに差し込んだり、ノートに挟み込んで携行することが容易にでき、随時、随所で引き出し用いることができる。
【００１８】
前記構成に係る三角スケールであって、前記個別スケール体の側端部に筆記手段が突設してあることを特徴とする三角スケールでは、前記特長に併せて、個別スケール体をスケール手段と同時に筆記手段として用いることができ、縮尺図面の作成や縮尺図面の読み込み操作時に、実寸法を確認しながら測定線や目盛等の書き込みを自在に行うことができる。
【００１９】
前記構成に係る三角スケールであって、長さ以外を、前記個別スケール体の接続されてなる前記三角スケールと同形、同寸とした短寸法の部分スケール体を、前記筆記手段を受け入れ得るように、前記個別スケール体の接続されてなる三角スケールにおける筆記手段の突設端面に離脱可能に接続し得るようにしてあることを特徴とする三角スケールにあっては、前記特長に併せて、前記個別スケール体の備える筆記手段を効果的に覆い隠し、当該個別スケール体の接続により構成される三角スケール部分と部分スケール体とが一体となって、使い勝手の良好な三角スケールを構成することができる。また、この三角スケールを構成する部分スケール体が短寸法で、全方向に向けて自在に目盛の向きを設定することができ、図面の細部等における実寸法の割り出しや各種の納まり具合の確認を効果的に行うことができる。
【発明の効果】
【００２０】
この発明に係る三角スケールは、いわゆる、三角スケールとして用い得ると共に、必要に応じて細身の個別スケール体に分離して多様に用いることのできる三角スケールとすることで、各種の態様に即応して縮尺図面の作成や、縮尺図面の読み取り等を容易かつ確実になし得る効果を有する。
【発明を実施するための最良の形態】
【００２１】
以下、この発明を実施するための最良の形態に係る三角スケールについて説明する。
【００２２】
図１〜図１０は、この発明を実施するための最良の形態に係る三角スケールＡを示すものであって、図１は、当該三角スケールＡを構成する個別スケール体Ａａが、仮想の三角スケールＹを所定の位置で分離した形状からなることを当該仮想の三角スケールＹと、当該仮想の三角スケールＹの一部を分離した状態に構成されている個別スケール体Ａａとを斜め上方から見て、図２は、当該仮想の三角スケールＹを側方から見て、図３では、部分スケール体Ａ”を接続した状態の三角スケールＡを斜め上方から見て、図４は、この部分スケール体Ａ”と個別スケール体Ａａ、Ａａ、Ａａの接続されてなる三角スケールＡ’とを分離した状態の三角スケールＡを斜め上方から見て、更に、図５は、部分スケール体Ａ”を分離し、しかも、三角スケールＡ’を構成する個別スケール体Ａａの一本を他の２本から分離した状態を斜め上方から見て示している。また、図６及び図７は、当該個別スケール体Ａａ相互を接続して構成される三角スケールＡにおける接続手段１０の備えられている位置で、断面して側方から見て示している。更に、図８では、この分離した個別スケール体Ａａを縮尺スケールとして用いている状態を、図９では、当該個別スケール体Ａａを筆記手段として用いている状態を、更に、図１０では、一対の個別スケール体Ａａ、Ａａを連結してスケールとして用いている状態を斜め上方から見て示している。
【００２３】
この図示例に係る典型的な三角スケールＡは、三本の個別スケール体Ａａ、Ａａ、Ａａを備えてなる三角スケールＡであって、前記個別スケール体Ａａが、外周面に長方形状の三つの面Ｙ’、Ｙ’、Ｙ’を備える仮想の三角スケールＹにおける前記各面Ｙ’の幅側のほぼ中央を通る当該面Ｙ’の長手にわたる線分Ｙａと当該仮想の三角スケールＹの中心を通る線分Ｙｂとの間にわたって備えられる各分離面Ｙｅ、Ｙｅで当該仮想の三角スケールＹを分離した形状の角棒状に構成してあり、
この個別スケール体Ａａが、前記仮想の三角スケールＹの稜Ｙｃを稜３２とするように当該稜３２を挟む一対の長方形状の表示面３０ａと、前記仮想の三角スケールＹにおける各分離面Ｙｅである長方形状の接合面３０ｂと、前記表示面３０ａの長手に備えられる所定の縮尺目盛３４とを備えており、隣り合わされる個別スケール体Ａａが、互いの表示面３０ａを連続させるように前記接合面３０ｂで接し合わされて、適宜の接続手段１０で離脱可能に接続し得るように構成してある。
【００２４】
かかる三本の個別スケール体Ａａ、Ａａ、Ａａを、隣り合わされている各個別スケール体Ａａの互いの表示面３０ａを連続させるように前記接合面３０ｂで接し合わせて接続手段１０で接続することで、いわゆる、三角スケールＡが構成される。
【００２５】
ここで構成される三角スケールＡは、断面形状が三角形をなし、周面に長方形状の三つの面３０，３０，３０を備え、かつ、両端に三角形の端面３１、３１を備える三角スケールＡとして用いることができる。
【００２６】
かかる三角スケールＡは、いわゆる、三角スケールと称されるものであれば、断面形状が正三角形のものであっても、各面３０の幅側の中央で当該面３０の長手にわたって備えられる溝状凹部に向けて凹む傾斜面を備えるものなど、いかなる形状、寸法のものであってもよい。
【００２７】
また、当該三角スケールＡに施される縮尺目盛３４は、目的とする縮尺設計図の作成や、読み取りに適切な目盛が施されていれば、各種の縮尺目盛や当該対象とされる設計モジュール等の縮尺目盛等、いかなる縮尺目盛であってもよい。かかる三角スケールＡに施される縮尺目盛は、例えば、百分の一、二百分の一、三百分の一、四百分の一、五百分の一、六百分の一等の適宜の縮尺比率からなるもの等が用いられることが多い。
【００２８】
また、三本の個別スケール体Ａａを接続する接続手段１０は、当該三本の個別スケール体Ａａ、Ａａ、Ａａを接続して三角スケールＡを構成し、かつ、必要に応じて離脱可能に接続し得るものであれば、いかなる形態の接続手段であってもよく、一種の接続手段からなるものであっても、複数種の接続手段からなるものであっても、また、一カ所に備えられる接続手段であっても、複数箇所に備えられる接続手段で構成してあってもよい。
【００２９】
このような構成からなる三角スケールＡは、所謂、三角スケールとして効果的に用い得るとともに、必要に応じて、縮尺図面の作成や読み取りに必要とされる縮尺比率の目盛を備えている三種類の個別スケール体Ａａの任意の一本の個別スケール体Ａａとして、又は、必要に応じて二本の個別スケール体Ａａ、Ａａの接続体とすることで、作成や読み取りの要請されている図面を簡易にかつ確実に作成でき、また、簡易に、かつ、確実に実寸法を読み取ることができる。
【００３０】
また、かかる個別スケール体Ａａは、細く、軽量であることから、当該個別スケール体Ａａを全方向に向けて自在に位置づけ得ることから、縮尺図面をもとにして、容易に、全方向に向けた実寸法の確認をなすことができる。
【００３１】
また、かかる個別スケール体Ａａは、細身に構成されていることから、胸ポケットに差し込んだり、ノートに挟み込んで携行することが容易にでき、随時、随所で引き出し用いることができる。
【００３２】
また、前記構成に係る三角スケールＡであって、前記個別スケール体Ａａが、軸状に構成されている個別スケール体Ａａにおける軸端である端面３１’ａに筆記手段３５を突設状に備えた三角スケールＡでは、個別スケール体Ａａをスケール手段と同時に筆記手段として用いることができ、縮尺図面の作成や縮尺図面の読み込み操作時に、実寸法を確認しながら測定線、測定目盛、メモ書き等の書き込みを自在に行うことができる。
【００３３】
また、前記構成に係る三角スケールＡであって、長さ以外を、前記個別スケール体Ａａの接続されてなる前記三角スケールＡ’と同形、同寸とした短寸法の部分スケール体Ａ”を、前記筆記手段３５を受け入れ得るように、前記個別スケール体Ａａの接続されてなる三角スケールＡ’における筆記手段３５の突設端面に離脱可能に接続し得るようにしてある三角スケールＡにあっては、前記個別スケール体Ａａの備える筆記手段３５を効果的に覆い隠し、当該個別スケール体Ａａの接続により構成される三角スケールＡ’部分と部分スケール体Ａ”とが一体となって、使い勝手の良好な三角スケールＡを構成することができる。また、この三角スケールＡを構成する部分スケール体Ａ”が短寸法で、全方向に向けて自在に縮尺目盛３４の向きを設定することができ、図面の細部等における実寸法の割り出しや各種の納まり具合の確認を効果的に行うことができる。
【００３４】
ついで、図示例に係る三角スケールＡを、さらに具体的に説明する。
【００３５】
この図示例に係る三角スケールＡは、三本の個別スケール体Ａａ、Ａａ、Ａａを備えてなる三角スケールＡであって、前記個別スケール体Ａａが、外周面に長方形状の三つの面Ｙ’、Ｙ’、Ｙ’を備える仮想の三角スケールＹにおける前記各面Ｙ’の幅側のほぼ中央を通る当該面Ｙ’の長手にわたる線分Ｙａと当該仮想の三角スケールＹの中心を通る線分Ｙｂとの間にわたって備えられる各分離面Ｙｅ、Ｙｅで、当該仮想の三角スケールＹを分離した形状の角棒状に構成してあり、
この個別スケール体Ａａが、前記仮想の三角スケールＹの稜Ｙｃを稜３２とするように当該稜３２を挟む一対の長方形状の表示面３０ａと、前記仮想の三角スケールＹにおける各分離面Ｙｅである長方形状の接合面３０ｂと、前記表示面３０ａの長手に備えられる所定の縮尺目盛３４とを備えており、隣り合わされる個別スケール体Ａａが、互いの表示面３０ａを連続させるように前記接合面３０ｂで接し合わされて、適宜の接続手段１０で離脱可能に接続し得るように構成してある。
【００３６】
かかる三角スケールＡは、前記の三本の個別スケールＡａ、Ａａ、Ａａを接続手段１０で一体に連結して構成してあっても、更に、他の要素、例えば、図示例におけるように部分スケール体Ａ”等を組み付けて構成してあってもよい。
この図示例では、当該個別スケール体Ａａ、Ａａ、Ａａを接続して三角スケールＡ’を構成し、さらに、この三角スケールＡ’の端面３１’に、端面３１”を接し合わせるように部分スケール体Ａ”を接続手段２０で接続することで筆記手段３５を覆った状態の三角スケールＡを構成するようにしてある。
【００３７】
この図示例に係る個別スケール体Ａａは、前記仮想の三角スケールＹにおける稜Ｙｃと線分Ｙａとの間にある面Ｙｄを、当該仮想の三角スケールＹの稜Ｙｃを稜３２とするように当該稜３２を挟むように備えられる一対の長方形状の表示面３０ａとして備えており、また、前記仮想の三角スケールＹにおける各分離面Ｙｅを長方形状の接合面３０ｂとして、当該接合面３０ｂを前記表示面３０ａに連続するように備えた断面四辺形の角棒状に構成してあり、この個別スケール体Ａａの両端面３１’ａ、３１’ａが当該個別スケール体Ａａの長さ方向に直交する面として構成してある。また、この個別スケール体Ａａには、前記稜３２に沿って当該稜３２を挟む各表示面３０ａ、３０ａに、該表示面３０ａの長手方向にわたって縮尺目盛３４が設けてある。
【００３８】
かかる個別スケール体Ａａは、また、隣り合わされる個別スケール体Ａａの表示面３０ａ、３０ａを連続させるように接合面３０ｂ、３０ｂで接し合わされ、この状態で接続手段１０で離脱可能に接続し得るように構成してあり、二個の個別スケール体Ａａ、Ａａを連結一体にして用いたり、三本の個別スケール体Ａａ、Ａａ、Ａａを連結一体にして用いることができる。
【００３９】
この図示例では、三本の個別スケール体Ａａ、Ａａ、Ａａを接続手段１０で連結一体にして三角スケールＡ’を構成してあり、この三本の個別スケール体Ａａ、Ａａ、Ａａを連結一体とした三角スケールＡ’は、断面形状が三角形をなし、連続された一対の表示面３０ａ、３０ａからなる面３０’を、周面に三面備え、個別スケール体Ａａにおける各稜３２を稜とし、当該稜に沿って縮尺目盛３４を備える三角スケールＡ’として構成してある。
【００４０】
この図示例では、個別スケール体Ａａ、Ａａ、Ａａを接続して構成される三角スケールＡ’の面３０’と、部分スケール体Ａ”の面３０”とが、都合よく連続されて一連の長方形の面３０を構成するように、三角スケールＡ’の端面３１’に部分スケール体Ａ”の端面３１”を接続するようにして断面形状がほぼ正三角形をなす三角スケールＡとされており、当該三角スケールＡの中心線を巡る円周方向にある外周面に、長方形状をなす三つの面３０、３０、３０が備えられており、この各面３０の短手である幅側にある両側部の長手にわたって、この図示例では、当該面３０の各長手縁に沿って、必要とされる縮尺目盛３４がそれぞれ備えられた構成としてある。
【００４１】
この図示例に係る三角スケールＡでは、三角スケールＡ’と部分スケール体Ａ”とを、一連の一個の三角スケールＡをなすように、前記長手縁に、一連に連続する縮尺目盛３４を設けてあるが、三角スケールＡ’と部分スケール体Ａ”とに、別段の縮尺目盛３４を設けるように構成してあってもよい。
【００４２】
かかる三角スケールＡにおける面３０の幅側のほぼ中央に長手にわたる凹溝３３を設け、当該三角スケールＡの把持等を都合よくなしうるようにしてある。
【００４３】
かかる三角スケールＡをなす三角スケールＡ’は、前記の三本の個別スケール体Ａａ、Ａａ、Ａａで構成してあり、しかも、この三本の個別スケール体Ａａが適宜の接続手段１０、この図示例では、永久磁石体１１と磁性片１２とからなる第一の接続手段１０と、ダボ１３及びダボ孔１４で構成される第二の接続手段１０で、離脱可能に接続し得るように構成してある。
【００４４】
かかる図示例に係る個別スケール体Ａａは、前記仮想の三角スケールＹにおける稜Ｙｃと線分Ｙａとの間にある面Ｙｄを、当該仮想の三角スケールＹの稜Ｙｃを稜３２とするように当該稜３２を挟むように備えられる一対の長方形状の表示面３０ａとして備えており、また、前記仮想の三角スケールＹにおける各分離面Ｙｅを長方形状の接合面３０ｂとして、当該各表示面３０ａに連続するように備えた断面四辺形の角棒状に構成してあり、この個別スケール体Ａａの両端面３１’ａ、３１’ａが当該個別スケール体Ａａの長さ方向に直交する面として構成してある。また、この個別スケール体Ａａには、前記稜３２に沿って当該稜３２を挟む各表示面３０ａ、３０ａに、該表示面３０ａの長手方向にわたって縮尺目盛３４が設けてあって、前記端面３１’ａの一方にボールペン、シャープペン等の適宜の筆記手段３５の芯を突き出し状態に備えている。
【００４５】
なお、この図示例に係る個別スケール体Ａａにおける表示面３０ａと接合面３０ｂとの間には、前記半円状をなす凹溝３３を二分した状態の弧状面３３’があり、当該個別スケール体Ａａのグリップ性を良好としている。
【００４６】
この図示例では、個別スケール体Ａａにおける接合面３０ｂに、当該個別スケール体Ａａを相互に接続し、また、当該三本の個別スケール体Ａａ、Ａａ、Ａａを一連に接続して三角スケールＡ’を構成する接続手段１０が設けてある。
【００４７】
この図示例に係る接続手段１０は、隣り合う個別スケール体Ａａの表示面３０ａが連続するように当該各個別スケール体Ａａ、Ａａの接合面３０ｂを接合するように、向き合わせ組み付けられて個別スケール体Ａａの互いに向き合う接合面３０ｂの一方側に永久磁石体１１を、他方側に磁性片１２を、相互に向き合い、かつ、吸着し得るように設けた第一の接続手段１０と、一方側にダボ１３を、他方側にダボ孔１４を互いに抜き差し可能に設けた第二の接続手段１０とを備えており、各個別スケール体Ａａ、Ａａ、Ａａを定位置にずれなく接続状態に維持し得るようにしてある。
【００４８】
また、この個別スケール体Ａａにおける筆記手段３５の備えられていない他方軸端である端面３１’ａ側部分に、例えば、ネックストラップ用掛け具３７を設けて、当該個別スケール体Ａａの携行等に活用し得るようにしてある。
【００４９】
この個別スケール体Ａａは、一本で用いても、二本を接続した状態で用いてもよく、表示面３０ａに備えられている縮尺目盛３４を効果的に用いることができる。
【００５０】
この図示例では、当該三角スケールＡ’に部分スケール体Ａ”を分離可能に接続して三角スケールＡを構成するようにしてあり、この部分スケール体Ａ”を、前記三角スケールＡ’の断面形状と同一かつ同寸法で、長さのみが短い短寸状スケールとして構成してある。
【００５１】
この短軸状の部分スケール体Ａ”は、前記三角スケールＡ’におけると同様に、当該部分スケール体Ａ”の軸中心を巡る向きの、いわゆる円周方向に矩形の面３０”、３０”、３０”を備えており、この矩形面３０”が前記面３０’に一連に連続されて三角スケールＡの一個の長方形の面３０を構成し得るようにしてある。
【００５２】
なお、この部分スケール体Ａ”には、前記三角スケールＡ’の面に備えられている縮尺目盛３４と同様に縮尺目盛３４が設けてあり、この図示例では、前記三角スケールＡ’に一連に連続するように当該縮尺目盛３４を設けてある。
【００５３】
また、この部分スケール体Ａ”の一方の端面３１”には、前記三角スケールＡ’の筆記手段３５をそれぞれ受け入れる孔３６が設けてあり、当該筆記手段３５を孔３６に組み付けることで、部分スケール体Ａ”を三角スケールＡ’に対して一連に連続して三角スケールＡを構成するように位置づけ得るようにしてある。
【００５４】
また、この部分スケール体Ａ”は、接続手段２０で、三角スケールＡ’に対して離脱可能に接続されており、この図示例では、個別スケール体Ａａの端面３１’ａに磁性片２２が、接続状態にある当該各個別スケール体Ａａにおける各磁性片２２、２２、２２に向き合う前記部分スケール体Ａ”の端面３１”に永久磁石体２１が設けてあり、この図示例では、円環状をなす薄い板状永久磁石を当該永久磁石体２１として設け、必要に応じて、当該部分スケール体Ａ”を三角スケールＡ’に接続状態にし、あるいは、これから、分離して用い得るようにしてある。
【００５５】
かかる部分スケール体Ａ”を単独で縮尺図面の作成や読み取りに用いることで、縮尺図面の作成や読み取りが、より容易、かつ、確実になすことができる。
【００５６】
このように構成される三角スケールでは、同一形状の個別スケール体Ａａ、Ａａ、Ａａを効率よく用いて三角スケールＡを構成することができる。また、個別スケール体Ａａ相互の組み付けが容易であり、当該個別スケール体を、例えば、図３に示されるように三本を連結して三角スケールとして用いたり、図８及び図９に示されるように単独で用いたり、図１０に示されるように二本を連結させることで指で押さえ易い構成にして用いる等、各種の態様で用いることができる。
【図面の簡単な説明】
【００５７】
【図１】典型的な仮想の三角スケールと個別スケール体の斜視図
【図２】同仮想の三角スケールの側面図
【図３】典型的な三角スケールの斜視図
【図４】同部分スケール体を分離した状態の斜視図
【図５】同部分スケール体と共に個別スケール体を分離した状態を示す斜視図
【図６】同三角スケールの要部断面図
【図７】同三角スケールの他の部分における要部断面図
【図８】同個別スケール体を用いている一例を示す斜視図
【図９】同個別スケール体を用いている他の例を示す斜視図
【図１０】同二本の個別スケール体を連結して用いている一例を示す斜視図
【符号の説明】
【００５８】
Ａ  三角スケール
Ａａ  個別スケール体
Ｙ  仮想の三角スケール
Ｙｅ  分離面
１０  接続手段
３０  面
３０ａ  表示面
３０ｂ  接合面
３２  稜
３４  縮尺目盛
【図１】
2010038576.tif 000003
【図２】
2010038576.tif 000004
【図３】
2010038576.tif 000005
【図４】
2010038576.tif 000006
【図５】
2010038576.tif 000007
【図６】
2010038576.tif 000008
【図７】
2010038576.tif 000009
【図８】
2010038576.tif 000010
【図９】
2010038576.tif 000011
【図１０】
2010038576.tif 000012